(57)【要約】【課題】視認性やデザイン性に優れたゴルフボールを提供する。【解決手段】球体のコアと、コアの表面にコアを被覆するように形成される光反射層と、この光反射層の外側に形成され、表面にディンプルが形成された透明樹脂層と、により構成されるゴルフボール。透明樹脂層は、光透過可能な程度に着色されていることが好ましい。光反射層は、メタリック着色層であり、前記透明樹脂層は、無色透明樹脂層であることが好ましい。球体のコア１と、コア１の表面にコア１を被覆するように形成されるメタリック着色層２と、このメタリック着色層２の外側に形成され、表面にディンプル３ａが形成された無色透明樹脂層３と、により構成されるゴルフボール。【選択図】図１
0003156480.tif 000002
【実用新案登録請求の範囲】
【請求項１】
球体のコアと、コアの表面にコアを被覆するように形成される光反射層と、この光反射層の外側に形成され、表面にディンプルが形成された透明樹脂層と、により構成されるゴルフボール。
【請求項２】
前記透明樹脂層は、光透過可能な程度に着色されている請求項１に記載のゴルフボール。
【請求項３】
前記光反射層は、メタリック着色層であり、前記透明樹脂層は、無色透明樹脂層である請求項１に記載のゴルフボール。
【考案の詳細な説明】
【技術分野】
【０００１】
本考案は、ゴルフボールに関するものである。
【背景技術】
【０００２】
ゴルフは国民的なスポーツとして、年代や性別に関係なく広範囲に普及している。競技で使用するゴルフボールは、例えば、巻き付け方式で形成されたボール芯の外周囲に樹脂を射出成型することで表面層が形成されている。表面層は、通常白色であり、多数のディンプルが形成されている。
【考案の概要】
【考案が解決しようとする課題】
【０００３】
近年は、上記のような画一的なデザイン（白色）のゴルフボールではなく、よりデザイン性の優れたゴルフボールや、打ち出したゴルフボールの落下位置を容易に確認できるようなデザインが要求されている。そこで、表面層を白色にするのではなく、着色することが考えられるが、単に着色するだけでは、遠方からの視認性という点では不十分である。
【０００４】
本考案は上記実情に鑑みてなされたものであり、その課題は、視認性やデザイン性に優れたゴルフボールを提供することである。
【課題を解決するための手段】
【０００５】
上記課題を解決するため本考案に係るゴルフボールは、球体のコアと、コアの表面にコアを被覆するように形成される光反射層と、この光反射層の外側に形成され、表面にディンプルが形成された透明樹脂層と、により構成されることを特徴とするものである。
【０００６】
かかる構成によるゴルフボールによれば、コアを被覆するように光反射層が形成され、さらにその外周面に透明樹脂層が形成される。したがって、透明樹脂層を介して入射した光が光反射層で反射し、キラキラした輝きを与えることができる。したがって、遠くからでもゴルフボールを見つけることが容易になり、デザイン性も上げることができる。
【０００７】
本考案に係る前記透明樹脂層は、光透過可能な程度に着色されていることが好ましい。着色することで、さらにデザイン性を高めることができ、キラキラ感をより向上させることができる。着色は、染料や顔料を樹脂に配合することで行うことができる。
【０００８】
本考案に係る前記光反射層は、メタリック着色層であり、前記透明樹脂層は、無色透明樹脂層であることが好ましい。着色層が無色透明樹脂層の内側にあるため、透明樹脂層に染料や顔料を配合させる構成に比べて、例えば、ブリードアウトによる退色を抑制できることが期待される。
【図面の簡単な説明】
【０００９】
【図１】ゴルフボールの内部構造を示す断面図
【考案を実施するための形態】
【００１０】
本考案に係るゴルフボールの好適な実施形態を図面を用いて説明する。図１は、ゴルフボールの内部構造を示す断面図である。
【００１１】
＜第１実施形態＞
図１において、ゴルフボールは、球体のコア１と、このコア１を被覆する光反射層２と、この光反射層２の外側に形成される透明樹脂層３により構成される。この透明樹脂層３の表面には、多数のディンプル３ａが形成される。
【００１２】
コア１には、通常のゴルフボール用のソリッドコアや糸巻きコアが使用される。無色透明樹脂層３には、アイオノマー樹脂（例えば、デュポン社製の商品名サーリン）が好ましくは用いられる。アイオノマー樹脂は、透明性、強靭性、耐摩耗性、等に優れており、ゴルフボール用の素材として好適である。
【００１３】
光反射層２として、メタリックな色調を有するメタリック層とすることができる。メタリック層の形成は、例えば、アルミニウム顔料を含む塗膜層、アルミニウムを蒸着して形成したフィルム、あるいは、メタリックな色調を有する印刷により形成することができる。これにより、シルバー調の反射層とすることができる。
【００１４】
光反射層２の外周面には、透明樹脂層３が形成されているので、光は透明樹脂層３を通過して、光反射層２の表面で反射する。メタリック層とすることで、光が反射すると、キラキラした視認性を出すことができる。これにより、遠くからでもゴルフボールの位置を認識することができ、デザイン性も向上させることができる。
【００１５】
透明樹脂層３については、無色透明でもよいが、染料や顔料の適宜の量を配合することで、キラキラした視認性に加えて、着色によるデザイン性のさらなる向上を図ることができる。着色する場合の色としては、ピンク、オレンジ、緑、黄色、紫などの彩度を有する色が例示される。
【００１６】
＜第２実施形態＞
次に第２実施形態を説明するが、構造的には第１実施形態と類似するので、図１を援用して説明する。図１において、ゴルフボールは、球体のコア１と、このコア１を被覆するメタリック着色層２（光反射層に相当）と、このメタリック着色層２の外側に形成される無色透明樹脂層３により構成される。この無色透明樹脂層３の表面には、多数のディンプル３ａが形成される。コア１と無色透明樹脂層３については、第１実施形態と同じ材質にすることができる。
【００１７】
メタリック着色層２が、無色透明樹脂層３の内側に形成されるので、この無色透明樹脂層３を介して、メタリック着色層２が視認される。メタリック着色層２の具体的な構成例としては、次のような種々の構成例がある。着色の例としては、ピンク、オレンジ、緑、黄色、紫などの彩度を有する色が例示される。メタリック層であるので、光反射層として機能し、キラキラした視認性を出すことができる。
【００１８】
１つ目は、コア１の表面に、メタリック塗膜を形成する方法である。例えば、アルミニウム顔料を含む塗膜層と干渉マイカ顔料を含む塗膜層とを組み合わせて形成することができる。これにより、キラキラと輝くメタリックに色を添えることができる。
【００１９】
２つ目は、金属光沢フィルムである。例えば、予め所定の色に着色した透明フィルムの片面に、アルミニウム等を蒸着して形成したフィルムが使用できる。あるいは、透明フィルムの片面に、光透過性を有する金属光沢層を挟んで着色層を積層して構成したものを使用できる。あるいは、透明樹脂中に、金属粉を分散状態で混在させた透明層と、着色した樹脂シート層とを積層した多層シートを用いることができる。
【００２０】
３つ目は、印刷により形成する方法である。例えば、着色剤として金属コロイド起源の金属微粒子を用いたインクジェット用インクを用いることができる。
【００２１】
メタリック着色層２の例として３つを例示したが、本考案は、これに限定されるものではなく、種々の変形例が考えられる。いずれにせよ、上記構成によれば、最外層の無色透明樹脂層３は、着色されておらず、その内側のメタリック着色層２が着色される構成である。したがって、従来問題となっていたブリードアウト等の現象を抑制することができ、長期にわたって同じ色を保持することができる。
【符号の説明】
【００２２】
１        コア
２        光反射層、メタリック着色層
３        透明樹脂層、無色透明樹脂層
３ａ      ディンプル
【図１】
0003156480.tif 000003